(57)【要約】【課題】  搬送時においても籾殻粉を撒き散らすことがない籾殻収納袋を開示する。【解決手段】  籾殻粉などが漏出しない程度の目をもつ主体部と、この主体部の上部開口から延長され、籾殻よりも小さい目をもつ網地部からなり、前記網地部の上辺には開閉自在なファスナーが設けられるとともに、前記網地部の両側縦辺の一方側または両側には籾摺機のダクトの挿通口を開閉自在に設けた籾殻収納袋である。また、主体部の上側は両側縦辺が切断された半割れ部であり、この半割れ部は底辺を除く３辺には開閉自在にファスナーが設けられるとともに、前記半割れ分の両底辺から上側に延長して網地部を設け、この網地部の上辺には開閉自在なファスナーが設けられるとともに、前記網地部の両側縦辺の一方側または両側には籾摺機のダクトの挿通口を開閉自在に設けた。【選択図】          図１
2005212856.tif 000002
【特許請求の範囲】
【請求項１】
籾殻粉などが漏出しない程度の目をもつ主体部と、この主体部の上部開口から延長され、籾殻よりも小さい目をもつ網地部からなり、前記網地部の上辺には開閉自在なファスナーが設けられるとともに、前記網地部の両側縦辺の一方側または両側には籾摺機のダクトの挿通口を開閉自在に設けた籾殻収納袋。
【請求項２】
籾殻粉などが漏出しない程度の目をもつ主体部を有し、この主体部の上側は両側縦辺が切断された半割れ部であり、この半割れ部は底辺を除く３辺には開閉自在にファスナーが設けられるとともに、前記半割れ分の両底辺から上側に延長して網地部を設け、この網地部の上辺には開閉自在なファスナーが設けられるとともに、前記網地部の両側縦辺の一方側または両側には籾摺機のダクトの挿通口を開閉自在に設けた籾殻収納袋。
【請求項３】
主体部の底辺には、開閉自在な開口を設けた請求項１または２記載の籾殻収納袋。
【請求項４】
主体部の両側縦辺の少なくとも一方には、取手を設けた請求項１又は２記載の籾殻収納袋。
【発明の詳細な説明】
【技術分野】
【０００１】
本発明は、米を収穫した後に籾摺りによって発生する籾殻を収納するための袋に関するものである。
【背景技術】
【０００２】
籾摺り時に発生する籾殻を収納する袋については、従来から公知であり、一般的には袋の重量を軽減するためにメッシュの籾殻袋を採用することが多い。この構成については、既に多くの先行技術が開示されているが、基本的な構成としては次のようなものが挙げられる。
【０００３】
【特許文献１】実開昭５４−４９３１５号
【特許文献２】実開昭５４−９２８１３号
【発明の開示】
【発明が解決しようとする課題】
【０００４】
上記公知技術のうち、特許文献１に記載された袋は、袋本体の両面ともに一種類の網地からなっている。また、特許文献２に記載された袋は、籾殻が流出しない程度の目巾のメッシュ地で上半部を、クロス地等の布体で下半部を構成し、メッシュ地の上縁に開口部を設ける構成である。
【０００５】
ところで、従来の多くの場合、籾殻は生籾を得る場合の不要物としてしか認識されておらず、せいぜい枕の内容物や玉子など壊れやすい商品の詰め物程度に利用されているだけであったので、ほとんどの籾殻は廃棄処分されていた。しかしながら、最近は資源の有効利用が提唱されるようになり、籾殻自体に商品価値が見出されている。その結果、籾殻を商品として搬送する機会が増えた。
【０００６】
籾殻は、籾摺機による籾摺りによって生じるものであり、籾摺り時には細かい籾殻粉が発生するとともに、乾燥した籾殻は割れやすいので袋に収納後であっても摩擦や圧縮によって細かく割れてしまい、搬送時および保管時に不要な籾殻粉を周囲に撒き散らす結果となる。しかしながら、このような状態で搬送した場合にはトラックの荷台をその都度清掃しなければならないなど、非常に手間が掛かってしまうという問題がある。
【０００７】
その点、特許文献２においては上半部がメッシュ地であるけれども下半部はクロス地であり、クロス地からは粉体が漏出しないものの、籾殻を収納した場合にはメッシュ地の部分から粉体が漏出してしまい、結果的に本発明が課題としていることは解消することができないものである。
【課題を解決するための手段】
【０００８】
本発明では、上述した従来の課題を解決することを目的としたもので、搬送時においても籾殻粉を撒き散らすことがない籾殻収納袋を開示するものである。
【０００９】
本発明の籾殻収納袋では、上記目的を達成するために、籾殻粉などが漏出しない程度の目をもつ主体部と、この主体部の上部開口から延長され、籾殻よりも小さい目をもつ網地部からなり、前記網地部の上辺には開閉自在なファスナーが設けられるとともに、前記網地部の両側縦辺の一方側または両側には籾摺機のダクトの挿通口を開閉自在に設けるという手段を用いた。この手段では、主体部が籾殻の収容部として機能し、網地部は籾摺り時における籾摺機のダクトから排出される送風を外部に逃がすと同時に籾殻を主体部に落下させるための機能を行う。また、別の手段として、籾殻粉などが漏出しない程度の目をもつ主体部を有し、この主体部の上側は両側縦辺が切断された半割れ部であり、この半割れ部は底辺を除く３辺には開閉自在にファスナーが設けられるとともに、前記半割れ分の両底辺から上側に延長して網地部を設け、この網地部の上辺には開閉自在なファスナーが設けられるとともに、前記網地部の両側縦辺の一方側または両側には籾摺機のダクトの挿通口を開閉自在に設けた。主体部と網地部の機能は第1の手段と同様であるが、籾殻は網地部まで一杯に収容し、折り返して下向きになっている半割れ部を戻してファスナーを閉止する。即ち、半割れ部は主体部の一部として機能する。
【００１０】
また、主体部の底辺に設ける開閉自在な開口は選択的に籾殻の排出口として機能する。さらに、主体部の両側縦辺の少なくとも一方に設けた取手は搬送時などの手がかりとして機能する。
【発明の効果】
【００１１】
本発明では、上述した手段を採用したので、籾摺り時には籾摺機から発生する空気流はメッシュ地から抵抗なく排出され、籾殻は効率よく袋に収納されるとともに、収納された籾殻は搬送時にはクロス袋によって全体を覆われるので、余分な粉体が外部に巻き散らかされることはなく、籾の生産工程および籾殻の搬送工程のいずれにおいても効率の高い作業に適する構成とすることができた。
【発明を実施するための最良の形態】
【００１２】
以下、本発明の好ましい実施の形態を添付した図面に従って説明する。図１は本発明の第１の実施形態を示したもので、籾殻収納袋１の構成として、２は内容物である籾殻および籾殻から発生する籾殻粉などが漏出しない程度の目をもつ主体部であり、上部にはファスナー３で開閉自在とした開口４を有し、必要に応じて取手５・５および底辺には籾殻排出口６を有する。なお、排出口６は常時ファスナーなどで閉止されており、排出時のみこれを開口する。７は開口４からさらに延長して設けられた網地部、８は網地部７の両側縦辺に設けた籾摺機のダクトを挿通するためのダクト挿通口であり、一方のみに設けることも、反対側にも一対で設けることもある。９は籾殻を排出するための排出口であり、底辺に設けた排出口６と同様に、常時はファスナーによって閉止している。１０は上辺角部に設けられた一対のはと目であり、籾摺機に備わる棒状のステー（図示せず）に串刺しにしておく場合に利用する。なお、主体部２の素材としては一般的にはクロス地を使用するが、十分な強度を保証できるのであれば不織布で構成することも可能である。
【００１３】
このように構成した籾殻収納袋は、使用に当たっては先ずダクト挿通口８を開いて籾摺機のダクト１１を挿通し、籾摺機を稼動する。そうすると、生米は別途回収される一方で籾殻がダクト１１から袋に排出される。この場合、ダクト１１からは相当な風力で籾殻が排出されるが、袋の上部構造はメッシュ地などの網地であるから、排圧は網地から外部に抜け出ることになり、籾殻だけが主体部２に落下して堆積する。このようにして籾殻が主体部２に一杯になる程度まで収納されれば籾殻の回収を停止し、図２に示したように網地部７を主体部２の中に収容し、ファスナー３を閉止する。これによって一連の収納作業が完了する。この場合、籾殻を収納した袋は全体表面がクロス地などの主体部２で形成されているので、搬送時であっても籾殻粉などが撒き散らされることはない。
【００１４】
なお、上記第１の実施形態では主体部２のサイズが収納袋の本来的な収容力となるから、大きいほうが好ましいが、籾摺機のダクト高さが一般的に規格サイズであるからあまり主体部２の高さを大きくとれば網地部７の面積が小さくなってしまい、排圧を十分に外部に逃すことができなくなる。従って、これらを勘案して比率を決定することになるが、基本的には主体部２と網地部７の高さの比率は自由である。
【００１５】
次に、図３に示した袋は第２実施形態を示したものであり、主体部１２は適宜高さ以上の部分が半割れ状に構成された２枚の半割れ部１３・１３であり、半割れ部１３・１３の底辺を除く３辺には連続するファスナー１４が設けられ、ファスナー１４を閉止することによって主体部１２全体が１つの袋を構成するようにしている。図では半割れ部１３は下方向に折り返された状態になっている。そして、半割れ部１３・１３の底辺１５・１５からは上側に延長して網地部１６が設けられている。網地部１６には第１の実施形態と同様に、ダクト挿通のためのダクト挿通口１７が一方、あるいは一対の態様で設けられている。なお、網地部１６は主体部１２に対して半割れ部１３の底辺の部分で縫合されるが、主体部１２の素材によっては溶着あるいは接着してもよく、さらには容易に剥離しないようにテープなどで補強してもよい。１８は網地部１６の上辺開口に設けられた開口ファスナーであり、これを開放して籾殻を排出する。
【００１６】
第２実施形態を使用するに当たっては、第１実施形態と同様に先ずダクト挿通口１７のファスナーを開放し、ダクトを挿通する。そして籾摺機を可動すると、ダクトからの排圧は網地部を通して外部に放出される一方、籾殻は重力に従って主体部１２に落下する。そして、この実施形態では網地部１６の一杯まで籾殻を収容し、ダクトから袋を撤去した後にダクト挿通口のファスナーを閉止し、さらに半割れ部１３・１３で網地部１６を覆ってからファスナー１４によって開口を閉止する。このように構成しているので、本実施形態では籾殻は網地部を含めた袋一杯に収納することができる。なお、袋の主体部には第１の実施形態と同様に、必要に応じて取手１９、および底辺にファスナーで開閉自在な籾殻取り出し口が設けられる。
【産業上の利用可能性】
【００１７】
本発明では、上述した構成の籾殻収納袋を採用したので、従来の作業と同様に籾摺機のダクトに直接取り付けて籾殻を回収することができるが、複雑な構造ではないので量産にも適しており、製品は効率のよい搬送に利用することができる。  
【図面の簡単な説明】
【００１８】
【図１】第１の実施形態を示す斜視図
【図２】第１の実施形態による籾殻回収後の袋を示す断面図
【図３】第２の実施形態を示す斜視図
【図４】同、籾殻の収納状態を示す断面図
【符号の説明】
【００１９】
１      籾殻収納袋
２      主体部
３      ファスナー
４      開口
５      取手
６      籾殻排出口
７      網地部
８      ダクト挿通口
９      排出口
１０      はと目
【図１】
2005212856.tif 000003
【図２】
2005212856.tif 000004
【図３】
2005212856.tif 000005
【図４】
2005212856.tif 000006